(57)【特許請求の範囲】
【請求項１】
本体ケースと、この本体ケースの一側縁に開閉自在に枢支されるケースカバーとを備え、前記本体ケースは内部に配された固定接片及びこの固定接片と離間して配設される可動接片と、これら接片と対向する前記本体ケースの表面に形成された挿通孔とを有し、前記ケースカバーはこれの開閉に伴って前記挿通孔に抜挿されるリブと、このリブの表面に配された接続接片とを有し、前記ケースカバーの閉成に伴ってリブを前記挿通孔に挿通することにより、前記可動接片が接続接片に弾性接触して固定接片と可動接片とを電気的に接続すると共に、ケースカバーの開放に伴ってリブを挿通孔から抜くことにより固定接片と可動接片との電気的接続を遮断することを特徴とする充電器。
【発明の詳細な説明】
【０００１】
【産業上の利用分野】
本発明は、本体ケースと、この本体ケースの一側縁に開閉自在に枢支されるケースカバーとを備えた充電器に関する。
【０００２】
【従来の技術】
被充電電池を充電する充電器において、被充電電池を装着せずに充電器が商用電源に接続されても、危険な状態とならないように、本体ケースに開閉自在なケースカバーと、このケースカバーの開閉に連動するスイッチ機構とを設け、前記ケースカバーが閉成されると、スイッチ機構がオン状態となって充電可能となるようにしたものが、特開平１−２９４３７７号公報に示されている。
【０００３】
この公報に記載された充電器は、本体ケースと、この本体ケースの一側縁に開閉自在に枢支されるケースカバーとを備え、前記本体ケースは内部に固定接片及び可動接片を有すると共にこれら接片と対向する前記本体ケースの表面に透孔を有し、前記ケースカバーはこれの開閉に伴って前記透孔に抜挿されるリブを有し、このリブの抜挿により前記可動接片が固定接片に接離するようにしている。
【０００４】
【発明が解決しようとする課題】
ところで、前述の構造において、ケースカバーを開成したとき、可動接片が固定接片から確実に離間するようにするためには、可動接片の弾性力を大きくする必要があるが、余りに大きくすると、その弾性力がケースカバーを閉成状態に保持するときに支障となる。
【０００５】
更に、前述の構造では、可動接片の弾性力が低下しやすく、固定接片との接離動作に支障を来す恐れがあった。
【０００６】
本発明は、これら課題を解決し、信頼性の高いスイッチ機構を備える充電器を提供するものである。
【０００７】
【課題を解決するための手段】
本発明の充電器は、本体ケースと、この本体ケースの一側縁に開閉自在に枢支されるケースカバーとを備え、前記本体ケースは内部に配された固定接片及びこの固定接片と離間して配設される可動接片と、これら接片と対向する前記本体ケースの表面に形成された挿通孔とを有し、前記ケースカバーはこれの開閉に伴って前記挿通孔に抜挿されるリブと、このリブの表面に配された接続接片とを有し、前記ケースカバーの閉成に伴ってリブを前記挿通孔に挿通することにより、前記可動接片が接続接片に弾性接触して固定接片と可動接片とを電気的に接続すると共に、ケースカバーの開放に伴ってリブを挿通孔から抜くことにより固定接片と可動接片との電気的接続を遮断することを特徴としている。
【０００８】
【作用】
本発明によれば、本体ケース内の固定接片及び可動接片と、ケースカバーのリブ表面の接続接片とによって、充電器のスイッチ機構を構成している。そして、ケースカバーの開成時、本体ケース内の固定接片及び可動接片は離間しており、従って、充電器はスイッチ機構はオフ状態にある。
【０００９】
一方、ケースカバーを閉成すると、ケースカバーに形成したリブが挿通孔に挿通し、前記接続接片が前記固定接片と可動接片とを電気的に接続する。これにより、スイッチ機構はオン状態となる。
【００１０】
【実施例】
図１乃至図４は本発明による充電器を示しており、１は２つのケースをネジ止めして構成された本体ケース、２は本体ケース１の表面側に互いに並行となるように形成された４つの電池収納凹所、３は本体ケース１の裏面側に形成されたプラグ収納部、４はプラグ収納部３内に回動可能に配された充電プラグである。この充電プラグ４はプラグ接片の先端がプラグ収納部３から突出する起立状態と、プラグ収納部３内に収まる倒伏状態との間で回動する。
【００１１】
５は本体ケース１内に配されたプリント基板であり、このプリント基板５には、図示していないが、充電回路や、電池収納凹所２に収納される被充電電池と接続される接点端子等が配される。６はプリント基板５に配置され、前記充電回路に接続された固定接片、７は本体ケース１内においてプラグ収納部３の近傍に配置された樹脂製の取付部材８に取り付けられた弾性を有する接続導体であって、この接続導体７はプラグ側接片７ａ及び可動接片７ｂからなり、可動接片７ｂは固定接片６側に延びている。９は固定接片６と対向するように本体ケース１の表面に形成された挿通孔である。
【００１２】
１０は本体ケース１の一側縁に枢支され、電池収納凹所２を開閉するケースカバー、１１はケースカバー１０の裏面側に突出形成され、本体ケース１に形成された挿通孔９に抜挿されるリブ、１２はリブ１１の表面に配された接続接片である。そして、固定接片６と可動接片７ａと接続接片１２とから、スイッチ機構が構成されている。
【００１３】
このような構成において、非充電時にあっては、図１に示すように、充電プラグ４はプラグ収納部３内に収められており、充電プラグ４はプラグ側接片７ａから電気的に離間している。
【００１４】
次に被充電電池の充電を行うには、図２に示すように、ケースカバー１０を開成する。この時、充電回路側の固定接片６と可動接片７ｂとは離間状態にあるため、スイッチ機構はオフ状態である。そして、被充電電池を電池収納凹所２内に収納し、ケースカバー１０を閉成すると、図３に示すように、ケースカバー１０に形成されたリブ１１が挿通孔９より本体ケース１内に進入し、リブ１１の表面に配された接続接片１２が固定接片７と可動接片７ａとに接触する。従って、スイッチ機構はオン状態となる。
【００１５】
一方、充電プラグ４を回動してこれをプラグ収納部３から突出させると、充電プラグ４はプラグ側接片７ａに電気的に接続される。そして、充電プラグ４を電源コンセントに接続すると、充電プラグ４、プラグ側接片７ａ及びスイッチ機構（即ち、可動接片７ｂ、接続接片１２及び固定接片６）を経て充電回路（図示していない）に通電され、被充電電池の充電が行われる。
【００１６】
なお、リブ１１の表面に設けた接続接片１２は、スイッチ機構を構成するのみならず、その形状、材質等を適宜に選択する、例えば、接続接片１２の大きさを、リブ１１より大きく形成してケースカバー１０の裏面にまで延在するように設けることにより、リブ１１の破損を防止する補強部材としても兼用することができる。
【００１７】
【発明の効果】
本発明は、本体ケースと、この本体ケースの一側縁に開閉自在に枢支されるケースカバーとを備え、前記本体ケースは内部に配された固定接片及び可動接片と、これら接片と対向する前記本体ケースの表面に形成された挿通孔とを有し、前記ケースカバーはこれの開閉に伴って前記挿通孔に抜挿されるリブと、このリブの表面に配された接続接片とを有し、前記リブを前記挿通孔に挿通することにより、前記接続接片が前記固定接片と可動接片とを電気的に接続するように構成したので、固定接片と可動接片との確実に接続することができ、信頼性の高いスイッチ機構を提供することができる。
【図面の簡単な説明】
【図１】本発明の一実施例を示す断面図である。
【図２】本発明の一実施例を示す断面図である。
【図３】本発明の一実施例を示す断面図である。
【図４】本発明の一実施例を示す平面図である。
【符号の説明】
１    本体ケース
６    固定接片
７ｂ  可動接片
９    挿通孔
１０  ケースカバー
１１  リブ
１２  接続接片
【図１】
0003639365.tif 000002
【図２】
0003639365.tif 000003
【図３】
0003639365.tif 000004
【図４】
0003639365.tif 000005